(57)【特許請求の範囲】
【請求項１】
枠体と、
前記枠体の内側を水平方向に並ぶ少なくとも２つの領域に仕切るたて骨と、
前記少なくとも２つの領域の室外側に取り付けられる室外側パネルと、
前記少なくとも２つの領域の室内側に取り付けられる室内側パネルと、
少なくとも１つの前記領域の下部に設けられる下部換気口と、
前記下部換気口が設けられる領域とは異なる少なくとも１つの領域の上部に設けられる上部換気口と、
前記室外側パネル及び前記室内側パネルの上部に設けられる上枠と、
前記室外側パネル及び前記室内側パネルの下部に設けられる下枠と
を備え、
前記室外側パネルと前記室内側パネルとの間に中間空気層が形成され、
前記上枠は、上下方向に貫通する上枠孔を有し、
前記上部換気口は、前記上枠孔を介して、外部と前記中間空気層とを連通し、
前記下枠は、上下方向に貫通する下枠孔を有し、
前記下部換気口は、前記下枠孔を介して、外部と前記中間空気層とを連通し、
前記たて骨は、隣接する前記中間空気層を連通する通気口を備える
カーテンウォールユニット。
【請求項２】
前記通気口は、前記たて骨の上端から、前記たて骨の鉛直方向に対する長さの２分の１までの間に形成される請求項１に記載のカーテンウォールユニット。
【請求項３】
前記通気口は、前記たて骨を貫通する複数の孔から成る請求項１又は２に記載のカーテンウォールユニット。
【請求項４】
前記たて骨は、前記少なくとも２つの領域の中間空気層と各々接する少なくとも２つの側面を有し、前記通気口は、前記側面に各々設けられる請求項１から３のいずれかに記載のカーテンウォールユニット。
【請求項５】
１つの側面の通気口は、他方の側面の通気口に対して、通気口の貫通方向から見たとき異なる位置に設けられる請求項４に記載のカーテンウォールユニット。
【請求項６】
前記たて骨は複数である請求項１から５のいずれかに記載のカーテンウォールユニット。
【請求項７】
前記室外側パネルは、ガラス、石、金属、樹脂、又はこれらの組み合わせを備える請求項１から６のいずれかに記載のカーテンウォールユニット。
【発明の詳細な説明】
【技術分野】
【０００１】
本発明は、建築物の外壁に用いられるカーテンウォールユニットに関する。
【背景技術】
【０００２】
従来、建物の外壁を二重構造にして、その内部空間の空気を換気することにより、窓際の熱環境を快適に保ち、建物の熱負荷を低減するカーテンウォールユニットが知られている。カーテンウォールユニットは、その下部に下部換気口、上部に上部換気口を備え、下部換気口から外気を導入し、二重構造の内部空間を通過させて、上部換気口から排出する。鉛直方向に並べて２枚のカーテンウォールユニットを取り付ける場合、鉛直下方に取り付けられたカーテンウォールユニットの上部換気口と、鉛直上方に取り付けられたカーテンウォールユニットの下部換気口とが近接し、上部換気口から排出された高温の空気が下部換気口から吸入され、上方に位置するカーテンウォールユニットの内部空間の温度が上昇し、さらにその上方に位置するカーテンウォールユニットの内部空間の温度が累積的に上昇することにより、所望の熱負荷低減効果が得られない可能性がある。これを防止するため、下方の下部換気口と上方の上部換気口とを千鳥配置にする技術が知られている（特許文献１参照）。
【先行技術文献】
【特許文献】
【０００３】
【特許文献１】特開２００７−１９７９２２号明細書
【発明の概要】
【発明が解決しようとする課題】
【０００４】
ところで、カーテンウォールユニットの外壁面に複数の室外側パネルを取り付ける場合、カーテンウォールユニットの内部空間に、それぞれの室外側パネルを支持するたて骨を設けなければならない。しかし、たて骨は室外側パネルの高さ方向全長に渡って設けられてカーテンウォールユニットの内部空間を左右に分離することとなるため、上記特許文献１に開示された発明のように下部換気口と上部換気口とを千鳥配置にしただけでは、下方の下部換気口から上方の上部換気口まで空気が移動できないという課題がある。
【０００５】
本発明はこのような課題に鑑みてなされたものであり、複数の室外側パネルを備えながら、内部空間を効率よく換気することにより所望の熱負荷低減効果が得られるカーテンウォールユニットを得ることを目的とする。
【課題を解決するための手段】
【０００６】
本願発明によるカーテンウォールユニットは、枠体と、枠体の内側を水平方向に並ぶ少なくとも２つの領域に仕切るたて骨と、少なくとも２つの領域の室外側に取り付けられる室外側パネルと、少なくとも２つの領域の室内側に取り付けられる室内側パネルと、少なくとも１つの領域の下部に設けられる下部換気口と、下部換気口が設けられる領域とは異なる少なくとも１つの領域の上部に設けられる上部換気口とを備え、室外側パネルと室内側パネルとの間に中間空気層が形成され、下部換気口及び上部換気口は、外部と中間空気層とを各々連通し、たて骨は、隣接する中間空気層を連通する通気口を備えることを特徴とする。
【０００７】
通気口は、たて骨の上端から、たて骨の鉛直方向に対する長さの２分の１までの間に形成されることが好ましい。これにより、一方の中間空気層から他方の中間空気層に空気を効率よく移動させることができる。
【０００８】
通気口は、たて骨を貫通する複数の孔から成ることが好ましい。これにより、一方の中間空気層から他方の中間空気層に移動する空気の量を増やすことができる。
【０００９】
たて骨は、少なくとも２つの領域の中間空気層と各々接する少なくとも２つの側面を有し、通気口は、側面に各々設けられることが好ましい。
【００１０】
１つの側面の通気口は、他方の側面の通気口に対して、通気口の貫通方向から見たとき異なる位置に設けられることが好ましい。これにより、例えば雨水等が、一方の通気口と他方の通気口とを通過しにくくなるため、一方の中間空気層から隣接する中間空気層に移動しにくくなる。
【００１１】
たて骨は複数であってもよい。これにより、３つ以上の中間空気層を形成することができる。
【００１２】
室外側パネルは、ガラス、石、金属、樹脂、又はこれらの組み合わせを備えることが好ましい。
【発明の効果】
【００１３】
本発明によれば、複数の室外側パネルを備えながら、内部空間を効率よく換気することにより所望の熱負荷低減効果が得られるカーテンウォールユニットが提供される。
【図面の簡単な説明】
【００１４】
【図１】建築物に取り付けられた複数のカーテンウォールユニットを室外側パネル側から見た図である。
【図２】図１のＩＩ−ＩＩ線における断面図である。
【図３】図１のＩＩＩ−ＩＩＩ線における断面図である。
【図４】下部換気口の断面図である。
【図５】上部換気口の断面図である。
【図６】図１のＶＩ−ＶＩ線における断面図である。
【符号の説明】
【００１５】
１００  カーテンウォールユニット
１１０ａ  右アウタースキン
１１０ｂ  左アウタースキン
１２０ａ  右上部インナースキン
１２０ｂ  左上部インナースキン
１２１ａ  右下部インナースキン
１２１ｂ  左下部インナースキン
１３０  たて骨
１４０ａ  右たて枠
１４０ｂ  左たて枠
１５０  上枠
１６０  下枠
１７０  下部換気口
１８０  上部換気口
【発明を実施するための形態】
【００１６】
本発明による第１の実施形態によるカーテンウォールユニット１００について図１から図６を用いて説明する。
【００１７】
図１を参照すると、複数のカーテンウォールユニット１００は、建築物１０の躯体に取り付けられ、外壁として用いられる。以下、建築物１０に取り付けられた状態において鉛直方向に沿う長さを高さ、建築物１０の外壁面と平行かつ水平方向に沿う長さを幅、建築物１０の外壁面と直角かつ水平方向に沿う長さを厚さという。
【００１８】
図１から３を参照すると、カーテンウォールユニット１００は、室外側パネルを成す右アウタースキン１１０ａ及び左アウタースキン１１０ｂと、室内側パネルを成す右上部インナースキン１２０ａ、左上部インナースキン１２０ｂ、右下部インナースキン１２１ａ、及び左下部インナースキン１２１ｂと、たて骨１３０と、右たて枠１４０ａと、左たて枠１４０ｂと、上枠１５０と、下枠１６０と、下部換気口１７０と、上部換気口１８０とを主に備える。右たて枠１４０ａ、左たて枠１４０ｂ、上枠１５０、及び下枠１６０が枠体を成す。
【００１９】
右アウタースキン１１０ａは、１枚の平板状のフロートガラスから成り、左アウタースキン１１０ｂは、同じ大きさを有する６枚の平板状の石材を２行６列に並べて成る。右アウタースキン１１０ａ及び左アウタースキン１１０ｂの高さは、カーテンウォールユニット１００の高さよりもわずかに低く、幅は、カーテンウォールユニット１００の半分よりも短い。
【００２０】
右下部インナースキン１２１ａは平板状の複層ガラスから成り、右上部インナースキン１２０ａ、左上部インナースキン１２０ｂ、及び左下部インナースキン１２１ｂは、平板状の耐火パネルから成る。
【００２１】
右たて枠１４０ａ及び左たて枠１４０ｂは、鉛直方向に直交する平面においてコの字形の断面を有する略直方体であって、アルミニウム合金から成る（図６参照）。右たて枠１４０ａ及び左たて枠１４０ｂの高さは、カーテンウォールユニット１００の高さと略同じである。
【００２２】
上枠１５０及び下枠１６０は、アルミニウム合金から成る複数の部材から構成され、幅方向に延びる。上枠１５０及び下枠１６０の幅は、カーテンウォールユニット１００の幅と略同じである。図示されないボルト及びアングル材等を用いて上枠１５０及び下枠１６０がスラブに固定される。
【００２３】
図４及び５を参照すると、上枠１５０は、塞ぎパネル１５１と、トラップ１５４と、上側ウインドバリア１５８と、上インナーバリア１５９と、鉛直方向に貫通する上枠孔１５０ａとを有する。上側ウインドバリア１５８及び上インナーバリア１５９は、弾性体、例えばゴムから成り、上枠１５０の頂部に取り付けられる。上側ウインドバリア１５８は、上インナーバリア１５９よりも室内側に取り付けられる。トラップ１５４は、上枠１５０から上方に突出するように設けられる。
【００２４】
塞ぎパネル１５１は、コの字形状の断面を有し、右たて枠１４０ａからたて骨１３０に渡る幅を有する。塞ぎパネル１５１は、上枠１５０に着脱可能であって、取り付けられたとき上枠孔１５０ａを塞ぐ（図４参照）。塞ぎパネル１５１が上枠１５０に取り付けられない場合、上枠１５０の頂部には、上部換気口１８０が設けられる（図５参照）。
【００２５】
下枠１６０は、塞ぎパネル１６１と、下側ウインドバリア１６５と、下インナーバリア１６６と、鉛直方向に貫通する下枠孔１６０ａとを有する。下側ウインドバリア１６５及び下インナーバリア１６６は、弾性体、例えばゴムから成り、下枠１６０の底部に取り付けられる。下側ウインドバリア１６５は、下インナーバリア１６６よりも室内側に取り付けられる。塞ぎパネル１６１は、コの字形状の断面を有し、たて骨１３０から左たて枠１４０ｂに渡る幅を有する。塞ぎパネル１６１は、下枠１６０に着脱可能であって、取り付けられたとき下枠孔１６０ａを塞ぐ（図５参照）。塞ぎパネル１６１が下枠孔１６０ａに取り付けられない場合、下枠１６０の底部には、下部換気口１７０が設けられる（図４参照）。
【００２６】
たて骨１３０は、縦長の断面箱形を有する略直方体であって、アルミニウム合金から成る。たて骨１３０の高さは、カーテンウォールユニット１００の高さよりもわずかに短い。
たて骨１３０は、右たて枠１４０ａ、左たて枠１４０ｂ、上枠１５０、及び下枠１６０によって囲まれる空間を２つの領域に仕切るように設けられる。図６を参照すると、たて骨１３０の内部には、幅方向及び高さ方向に渡る平板状の補強板１３１が厚さ方向の中央に設けられる。
【００２７】
たて骨１３０は、高さ方向に沿って延びる左右２枚の板状部のそれぞれの外側に右側面１３８及び左側面１３９を備える。右側面１３８及び左側面１３９には、各々幅方向に貫通してたて骨１３０の箱形中空部と連通する複数の右通気口２２１及び複数の左通気口２２２が設けられる。右通気口２２１及び左通気口２２２は、たて骨１３０の上端から、たて骨１３０の鉛直方向に対する長さの２分の１までの間に設けられる。右通気口２２１は右側面１３８の厚さ方向に貫通し、左通気口２２２は左側面１３９の厚さ方向に貫通する。右通気口２２１と左通気口２２２の位置は、図６に示されるように、右通気口２２１及び左通気口２２２の貫通方向から見たとき、つまり右側面１３８及び左側面１３９の厚さ方向から見たとき、互いに異なる。ここで、上部換気口１８０から進入した例えば雨水等が重力等によりたて骨１３０を伝わって鉛直下方に落ちる状況を考える。この状況下で、貫通方向から見て同じ位置に右通気口と左通気口とを設けると、雨水等が右通気口の上端から左通気口内へ、あるいは左通気口の上端から右通気口内へ飛散して、一方の中間空気層から他方の中間空気層に浸入するおそれがある。しかしながら、本実施形態のように、右通気口２２１と左通気口２２２とを、右通気口２２１及び左通気口２２２の貫通方向から見たときにずらした位置に設ければ、雨水等が一方の中間空気層から他方の中間空気層に浸入することを防止できる。
【００２８】
上枠１５０の幅方向における一端に、右たて枠１４０ａが図示されないボルトにより直交するように取り付けられる。また、他方の一端には、左たて枠１４０ｂが図示されないボルトにより直交するように取り付けられる。下枠１６０の幅方向における両端にも、同様にして右たて枠１４０ａ及び左たて枠１４０ｂが取り付けられる。たて骨１３０は、上枠１５０及び下枠１６０の略中央に図示されないボルトにより直交するように取り付けられる。
【００２９】
図２、４及び６を参照すると、右アウタースキン１１０ａは、右たて枠１４０ａ、たて骨１３０、上枠１５０、及び下枠１６０に取り付けられる。より詳細には、右アウタースキン１１０ａは、右たて枠１４０ａ、たて骨１３０、上枠１５０、及び下枠１６０により構成される領域の室外側に取り付けられる。
【００３０】
図４を参照すると、上枠１５０には、上枠１５０の幅方向の略半分に渡って設けられるアルミニウム合金から成る上枠ガラス保持部材１５２と弾性体から成るシール材１５３ａとが取り付けられる。上枠ガラス保持部材１５２は、上枠１５０に機械的に接続され、弾性体から成るシール材１５３ｂを保持する。右アウタースキン１１０ａは、２本のシール材１５３ａ、１５３ｂの間にそれらの弾性力によって保持される。下枠１６０も上枠１５０と同様に、アルミニウム合金から成る下枠ガラス保持部材１６２と弾性体から成るシール材１６３ａとが取り付けられる。下枠ガラス保持部材１６２は、下枠１６０に機械的に接続され、弾性体から成るシール材１６３ｂを保持する。右アウタースキン１１０ａは、２本のシール材１６３ａ、１６３ｂの間にそれらの弾性力によって保持される。
【００３１】
図６を参照すると、右たて枠１４０ａには、右たて枠１４０ａの高さ方向全長に渡って設けられるアルミニウム合金から成るたて枠保持部材１４１と弾性体から成るシール材１４２ａとが取り付けられる。たて枠保持部材１４１は、右たて枠１４０ａに機械的に接続され、弾性体から成るシール材１４２ｂを保持する。右アウタースキン１１０ａは、２本のシール材１４２ａ、１４２ｂの間にそれらの弾性力によって保持される。たて骨１３０にも右たて枠１４０ａと同様に、アルミニウム合金から成るたて骨保持部材１３２と弾性体から成るシール材１３３ａとが取り付けられる。たて骨保持部材１３２は、たて骨１３０に機械的に接続され、弾性体から成るシール材１３３ｂを保持する。右アウタースキン１１０ａは、２本のシール材１３３ａ、１３３ｂの間にそれらの弾性力によって保持される。
【００３２】
図２、４及び６を参照すると、右上部インナースキン１２０ａは、右たて枠１４０ａ、たて骨１３０、上枠１５０、及び右側無目２００の間に取り付けられ、右下部インナースキン１２１ａは、右たて枠１４０ａ、たて骨１３０、右側無目２００、及び下枠１６０の間に取り付けられる。より詳細には、右上部インナースキン１２０ａは、右たて枠１４０ａ、たて骨１３０、上枠１５０、及び右側無目２００により構成される領域の室内側に取り付けられ、右下部インナースキン１２１ａは、右たて枠１４０ａ、たて骨１３０、右側無目２００、及び下枠１６０により構成される領域の室内側に取り付けられる。
【００３３】
図４を参照すると、上枠１５０と右側無目２００との間には、Ｃ字形状の断面を有し、上枠１５０の幅方向の略半分に渡って設けられる上枠インナー保持部材１９０がシール部材１５５、２０１及び充填剤１５６、２０２を介して保持される。上枠インナー保持部材１９０においてＣ字形状の内側に右上部インナースキン１２０ａが設置される。そして、右側無目２００と下枠１６０との間には、右たて枠１４０に取り付けられたヒンジ周りに回転可能となるように、右下部インナースキン１２１ａがシール部材２０３、２０５及び充填剤２０４、２０６を介して保持される。
【００３４】
図６を参照すると、右たて枠１４０ａには、右たて枠１４０ａの高さ方向に沿って下枠１６０と右側無目２００との間に渡って設けられるアルミニウム合金から成るたて枠インナー保持部材１４３が取り付けられる。たて枠インナー保持部材１４３は、右たて枠１４０ａに機械的に接続され、弾性体から成るシール材１４４と充填剤１４５とを介して右下部インナースキン１２１ａを保持する。たて枠インナー保持部材１４３は図示されないヒンジを備える。このヒンジにより、右下部インナースキン１２１ａがヒンジ周りに回転可能となる。たて骨１３０にも右たて枠１４０ａと同様に、アルミニウム合金から成るたて骨インナー保持部材１３４がたて骨１３０に対して着脱自在に取り付けられる。たて骨インナー保持部材１３４は、たて骨１３０に機械的に接続され、弾性体から成るシール材１３５と充填剤１３６とを介して下部インナースキン１２０ａを保持する。
【００３５】
図３、５及び６を参照すると、左アウタースキン１１０ｂは、左たて枠１４０ｂ、たて骨１３０、上枠１５０、及び下枠１６０の間に取り付けられる。より詳細には、左アウタースキン１１０ｂは、左たて枠１４０ｂ、たて骨１３０、上枠１５０、及び下枠１６０により構成される領域の室外側に取り付けられる。
【００３６】
図５を参照すると、上枠１５０には、上枠１５０の幅方向の略半分に渡って設けられるアルミニウム合金から成る上枠石材保持部材１５７が図示されないボルト及びナットを用いて取り付けられる。左アウタースキン１１０ｂは、頂面に凹部を備える。上枠石材保持部材１５７が備える突起が、この凹部に係合して、左アウタースキン１１０ｂが上枠石材保持部材１５７に保持される。下枠１６０も上枠１５０と同様に、アルミニウム合金から成る下枠石材保持部材１６４が図示されないボルト及びナットを用いて取り付けられる。左アウタースキン１１０ｂは、底面に凹部を備える。下枠石材保持部材１６４が備える突起が、この凹部に係合して、左アウタースキン１１０ｂが下枠石材保持部材１６４に保持される。図６を参照すると、左アウタースキン１１０ｂと左たて枠１４０ｂ及びたて骨１３０との間には、弾性体から成る充填剤１３７、１４６が充填される。
【００３７】
図３、５及び６を参照すると、左上部インナースキン１２０ｂは、左たて枠１４０ｂ、たて骨１３０、上枠１５０、及び左側無目２１０の間に取り付けられ、左下部インナースキン１２１ｂは、左たて枠１４０ｂ、たて骨１３０、左側無目２１０、及び下枠１６０の間に取り付けられる。より詳細には、左上部インナースキン１２０ｂは、左たて枠１４０ｂ、たて骨１３０、上枠１５０、及び左側無目２１０により構成される領域の室内側に取り付けられ、左下部インナースキン１２１ｂは、左たて枠１４０ｂ、たて骨１３０、左側無目２１０、及び下枠１６０により構成される領域の室内側に取り付けられる。左たて枠１４０ｂ、たて骨１３０、上枠１５０、及び左側無目２１０と左上部インナースキン１２０ｂとの取り付け手法、及び左たて枠１４０ｂ、たて骨１３０、左側無目２１０、及び下枠１６０と左下部インナースキン１２１ｂとの取り付け手法は、右たて枠１４０ａ、たて骨１３０、上枠１５０、及び右側無目２００と右上部インナースキン１２０ａとの取り付け手法と同様であるため、説明を省略する。
【００３８】
図２及び３を参照すると、右アウタースキン１１０ａと、右上部インナースキン１２０ａ及び右下部インナースキン１２１ａとの間に空間が形成される。この空間が右中間空気層２３０ａである。また、左アウタースキン１１０ｂと、左上部インナースキン１２０ｂ及び左下部インナースキン１２１ｂとの間に空間が形成される。この空間が左中間空気層２３０ｂである。右中間空気層２３０ａ及び左中間空気層２３０ｂは、右側面１３８及び左側面１３９に沿って鉛直方向に延び、言い換えると高さ方向に沿って延び、右通気口２２１及び左通気口２２２によって接続される。
【００３９】
次に、図４を用いて下部換気口１７０について説明する。下部換気口１７０は、カーテンウォールユニット１００の右側底部、すなわち右中間空気層２３０ａの下部に設けられ、カーテンウォールユニット１００の外部と右中間空気層２３０ａとを連通する。より詳細には、カーテンウォールユニット１００の下枠１６０のうち、右たて枠１４０ａからたて骨１３０に渡って設けられる。このとき、鉛直方向上下に並べて建築物１０に取り付けられた２枚のカーテンウォールユニット１００のうち、下側に取り付けられたカーテンウォールユニット１００の上枠孔１５０ａは、塞ぎパネル１５１によって塞がれ、上側に取り付けられたカーテンウォールユニット１００の下枠孔１６０ａは塞ぎパネル１６１によって塞がれない。これにより、カーテンウォールユニット１００の外部から下部換気口１７０に流入した空気は、下枠孔１６０ａを経て、上側のカーテンウォールユニット１００の右中間空気層２３０ａに流入する。また、上枠孔１５０ａは、塞ぎパネル１５１によって塞がれているため、下側のカーテンウォールユニット１００の右中間空気層２３０ａから上側のカーテンウォールユニット１００の右中間空気層２３０ａに空気が流れない。そして、上側のカーテンウォールユニット１００の右中間空気層２３０ａに流入した空気は、右通気口２２１及び左通気口２２２を経て、左中間空気層２３０ｂに流入する。また、トラップ１５４が、外部から下部換気口１７０内に進入した水を受け止めて下部換気口１７０の外部に排出するため、上枠孔１５０ａ及び下枠孔１６０ａまで水が進入しない。２つのカーテンウォールユニット１００を鉛直方向上下に並べて建築物１０に取り付けた状態において、上インナーバリア１５９と下インナーバリア１６６とは水平方向に重なり合いながら密着し、上側ウインドバリア１５８と下側ウインドバリア１６５とは鉛直方向に密着する。これにより、上インナーバリア１５９及び下インナーバリア１６６は、水が外部から進入することを防止し、上側ウインドバリア１５８及び下側ウインドバリア１６６は、風が室内に侵入することを防止する。
【００４０】
次に、図５を用いて上部換気口１８０について説明する。上部換気口１８０は、カーテンウォールユニット１００の左側頂部、すなわち左中間空気層２３０ｂの上部に設けられ、カーテンウォールユニット１００の外部と左中間空気層２３０ｂとを連通する。より詳細には、カーテンウォールユニット１００の上枠１５０のうち、たて骨１３０から左たて枠１４０ｂに渡って設けられる。このとき、上下に並んで取り付けられた２枚のカーテンウォールユニット１００のうち、上側に取り付けられたカーテンウォールユニット１００の下枠孔１６０ａは、塞ぎパネル１６１によって塞がれ、下側に取り付けられたカーテンウォールユニット１００の上枠孔１５０ａは塞ぎパネル１５１によって塞がれない。これにより、左中間空気層２３０ｂから流出する空気が、下枠１６０と上枠１５０との間を通過して、上部換気口１８０から外部に放出される。これにより、カーテンウォールユニット１００内部の空気が換気され、温度が下げられる。また、トラップ１５４が、外部から下部換気口１７０内に進入した水を受け止めて下部換気口１７０の外部に排出するため、上枠孔１５０ａ及び下枠孔１６０ａまで水が進入しない。上インナーバリア１５９と下インナーバリア１６６、及び上側ウインドバリア１５８と下側ウインドバリア１６５に関しては、前述と同様であるため、説明を省略する。
【００４１】
本実施形態によれば、たて骨１３０に右通気口２２１及び左通気口２２２を設けることにより、複数の室外側パネルを備えながら、内部空間を効率よく換気することにより所望の熱負荷低減効果が得られるカーテンウォールユニットを得ることができる。
【００４２】
また、下部換気口１７０と上部換気口１８０とが、鉛直方向から見たとき、互いに異なる位置に設けられるため、下部換気口１７０と上部換気口１８０との鉛直方向に対する距離を短くしても、上部換気口１８０から下部換気口１７０に空気が流入しにくくなる。これにより、上下に並んで取り付けられた２枚のカーテンウォールユニット１００の間隔を従来よりも狭くすることができ、右中間空気層２３０ａ及び左中間空気層２３０ｂに侵入する雨水を低減するとともに、カーテンウォールユニット１００の水密性能を向上できる。
【００４３】
従来、上下に並んで取り付けられた２枚のカーテンウォールユニット１００の間にがらりやパネルを取り付けて、下部換気口と上部換気口との鉛直方向に対する間隔を確保していたが、本実施形態によれば、上下に並んで取り付けられた２枚のカーテンウォールユニット１００の間隔を従来よりも狭くすることができるため、複数のカーテンウォールユニット１００の間に設けられる目地の見え掛かりを容易に合わせることができ、これにより、建築物１０の外壁の意匠に統一感を持たせることができる。
【００４４】
さらに、塞ぎパネル１５１、１６１を着脱することのみによって、下部換気口１７０及び上部換気口１８０を設けることが可能となるため、従来のように複雑な機構を設ける必要がなく、部品点数が少ない簡易な機構によって下部換気口１７０及び上部換気口１８０を設けることが可能となる。
【００４５】
なお、右アウタースキン１１０ａ及び左アウタースキン１１０ｂの素材は、前述の素材に限定されず、ガラス、石、金属、樹脂、又はこれらの組み合わせであればよい。
【００４６】
なお、たて骨１３０の数は１つに限定されず、複数であってもよい。また、たて骨１３０は、２つの板状部材、すなわち右側面１３８及び左側面１３９を備えなくてもよく、一以上の板状部材を備えればよい。
【００４７】
なお、下部換気口１７０がたて骨１３０から左たて枠１４０ｂに渡って設けられ、上部換気口１８０が右たて枠１４０ａからたて骨１３０に渡って設けられるとして説明したが、下部換気口１７０が右たて枠１４０ａからたて骨１３０に渡って設けられ、上部換気口１８０がたて骨１３０から左たて枠１４０ｂに渡って設けられてもよく、これ以外の態様で配置されてもよい。
【００４８】
なお、右通気口２２１と左通気口２２２の位置は、通気口の貫通方向から見たとき互いに異なるとして説明したが、同じ位置、あるいは一部が重なり合うような位置であってもよい。また、右通気口２２１及び左通気口２２２が設けられる位置は、たて骨１３０の上端から、たて骨１３０の鉛直方向に対する長さの２分の１までの間に限定されず、他の位置であってもよい。
【００４９】
なお、下部換気口１７０は、上側に取り付けられたカーテンウォールユニット１００の右アウタースキン１１０ａと、下側に取り付けられたカーテンウォールユニット１００の右アウタースキン１１０ａとの間に形成されるとして説明したが、上側に取り付けられたカーテンウォールユニット１００の左アウタースキン１１０ｂと、下側に取り付けられたカーテンウォールユニット１００の左アウタースキン１１０ｂとの間に形成されてもよい。
【００５０】
また、下部換気口１７０と上部換気口１８０は、鉛直方向から見たとき全く重ならないとして説明したが、下方に位置する上部換気口１８０から排出された空気が、上方に位置する下部換気口１７０に吸入されない程度の位置に設けられればよく、鉛直方向から見たときに、少なくとも一部が重ならない位置や、互いに異なる位置に設けられればよい。
【００５１】
なお、本明細書および図中に示した各部材の大きさは例示であって、これらの大きさに限定されない。また、各部材の素材は例示であって、これらの素材に限定されない。
【００５２】
ここに付随する図面を参照して本発明の実施形態が説明されたが、記載された発明の範囲と精神から逸脱することなく、変形が各部の構造と関係に施されることは、当業者にとって自明である。
【図１】
0006662717.tif 000002
【図２】
0006662717.tif 000003
【図３】
0006662717.tif 000004
【図４】
0006662717.tif 000005
【図５】
0006662717.tif 000006
【図６】
0006662717.tif 000007